【手続補正書】
【提出日】平成20年6月25日(2008.6.25)
【手続補正１】
【補正対象書類名】明細書
【補正対象項目名】特許請求の範囲
【補正方法】変更
【補正の内容】
【特許請求の範囲】
【請求項１】  非コロイド構造に関して固定化されるための能力をコロイド粒子に与えること；および
非コロイド構造へのコロイド粒子の固定化を測定することを包含する方法。
【手続補正２】
【補正対象書類名】明細書
【補正対象項目名】０１４２
【補正方法】変更
【補正の内容】
【０１４２】
当業者は、本明細書に記載のすべてのパラメータは例示的なものであって、実際のパラメータは本発明が使用される方法および装置についての具体的な用途に依存することを容易に理解するであろう。したがって、先の態様は実施例のためだけに提示されること、および添付の請求項およびそれらと同等のものの範囲内で、具体的な記載とは異なって本発明が実行されてもよいということを理解するべきである。
[請求項１]  非コロイド構造に関して固定化されるための能力をコロイド粒子に与えること；および
非コロイド構造へのコロイド粒子の固定化を測定することを包含する方法。
[請求項２]  コロイド粒子が補助的なシグナル伝達実体を包含する、請求項１に記載の方法。
[請求項３]  補助的なシグナル伝達実体が、染料、色素、電気活性分子、化学ルミネッセンス部分、電気化学ルミネッセンス部分、蛍光部分、アップレギュレートしている蛍光体、またはホースラディッシュペルオキシダーゼおよびアルカリホスファターゼを包含する酵素結合シグナル伝達部分を包含する請求項２に記載の方法。
[請求項４]  シグナル伝達実体がメタロセンを包含する、請求項３に記載の方法。
[請求項５]  シグナル伝達実体がフェロセンまたはフェロセン誘導体を包含する、請求項４に記載の方法。
[請求項６]  複数のコロイド粒子が非コロイド構造に結合すること、および複数の粒子の非コロイド構造への結合を測定することを包含する、請求項１に記載の方法。
[請求項７]  複数のコロイド粒子が補助的なシグナル伝達実体を包含する、請求項６に記載の方法。
[請求項８]  補助的なシグナル伝達実体が、染料、色素、電気活性分子、化学ルミネッセンス部分、電気化学ルミネッセンス部分、蛍光部分、アップレギュレートしている蛍光体、またはホースラディッシュペルオキシダーゼおよびアルカリホスファターゼを含む酵素結合シグナル伝達部分を包含する請求項７に記載の方法。
[請求項９]  非コロイド構造に結合するか、または結合するように適合した生物学的または化学的作用物質、および粒子に結合するか、または結合するように適合した生物学的または化学的作用物質の結合パートナーを提供することをさらに含み、与える工程は作用物質および結合パートナーにより粒子が非コロイド構造に結合することを包含する、請求項１に記載の方法。
[請求項１０]  非コロイド構造がビーズである、請求項１に記載の方法。
[請求項１１]  ビーズがポリマー材料、アガロース、テンタゲル、および／または磁性材料を包含する、請求項１０に記載の方法。
[請求項１２]  ビーズがポリスチレンビーズである、請求項１１に記載の方法。
[請求項１３]  作用物質を非コロイド構造に結合させ、結合パートナーを粒子に結合させ、および作用物質と結合パートナーをお互いに結合させることを包含する、請求項９に記載の方法。
[請求項１４]  作用物質と結合パートナーがお互いに生物学的に結合させることを包含する、請求項１３に記載の方法。
[請求項１５]  生物学的または化学的作用物質が薬物候補であり、そして結合パートナーが薬物候補の標的である、請求項９に記載の方法。
[請求項１６]  非コロイド構造がビーズである、請求項１５に記載の方法。
[請求項１７]  非コロイド構造が本質的に平面の基質またはチップの表面である、請求項１５に記載の方法。
[請求項１８]  生物学的または化学的作用物質が核酸配列である、請求項９に記載の方法。
[請求項１９]  生物学的または化学的作用物質がペプチドであり、そして結合パートナーがペプチドの結合パートナーである、請求項９に記載の方法。
[請求項２０]  生物学的または化学的作用物質がタンパク質であり、そして結合パートナーがタンパク質の結合パートナーである、請求項９に記載の方法。
[請求項２１]  コロイド粒子が固定化リガンドを持ち、そして非コロイド構造がリガンドに対する結合パートナーを持つ、請求項１に記載の方法であって、標的へのリガンド結合の妨害のための候補薬物の存在下で、非コロイド構造に結合する能力をコロイド粒子に与えることを包含する前記方法。
[請求項２２]  非コロイド構造がビーズであり、複数のビーズ、ビーズへの結合に適合した複数の生物学的または化学的作用物質、複数の粒子、および粒子への結合に適合した生物学的または化学的作用物質の複数の結合パートナーを提供することをさらに包含し、ここで少なくともいくつかの作用物質および結合パートナーは互いに結合する能力を有することが推測される、請求項１に記載の方法であって、ここで少なくともビーズのいくつかを少なくとも粒子のいくつかに暴露すること、およびビーズへの粒子の固定化を測定することを包含する前記方法。
[請求項２３]  生物学的または化学的作用物質が薬物候補であり、そして結合パートナーが薬物候補の標的である、請求項２２に記載の方法であって、それぞれが異なる固定化された薬物候補を持つ、２つの異なる位置に少なくとも第１および第２のビーズを提供すること、複数の粒子を少なくとも２つのビーズに暴露すること、そして第１のビーズと第２のビーズへの粒子の結合を区別することを包含する前記方法。
[請求項２４]  少なくとも２つのビーズがマルチウェルプレートの少なくとも２つの異なるウェルに別々に位置する、請求項２３に記載の方法。
[請求項２５]  生物学的または化学的作用物質が薬物候補であり、そして結合パートナーが薬物候補の標的である、請求項２２に記載の方法であって、２つの異なる位置に薬物候補を持つ少なくとも２つのビーズを用意すること、薬物候補の第１の標的を持つコロイド粒子の第１のセットに第１のビーズを暴露すること、および薬物候補の第２の標的を持つコロイド粒子の第２のセットに第２のビーズを暴露すること、ならびに第１のビーズへの第１のセットの粒子の結合に対して、第２のビーズへの第２のセットの粒子への結合を区別することを包含する前記方法。
[請求項２６]  粒子と相互作用して吸収されるか、または透過する電磁波放射のスペクトルの変化を測定することにより、非コロイド構造における粒子の固定化を測定することを包含する、請求項９に記載の方法。
[請求項２７]  目視検査により非コロイド構造における粒子の固定化を測定することを包含する、請求項９に記載の方法。
[請求項２８]  複数のビーズおよびビーズに結合した作用物質、複数の粒子および粒子に結合した結合パートナーを用意すること、ならびにビーズに粒子を暴露すること、およびビーズにおける粒子の固定化を測定することを包含する、請求項２２に記載の方法。
[請求項２９]  作用物質または結合パートナーの少なくとも一つがそれぞれ、親和性タグ／結合パートナー結合により、非コロイド構造または粒子への結合に適合した、請求項９に記載の方法。
[請求項３０]  作用物質または結合パートナーの少なくとも一つがそれぞれ、金属結合タグ／金属／キレート結合により非コロイド構造または粒子への結合に適合した、請求項９に記載の方法。
[請求項３１]  作用物質または結合パートナーの少なくとも一つがそれに固定化された金属を配位結合させるキレートを持ち、そして作用物質または結合パートナーの少なくとも一つがポリアミノ酸タグにより誘導体化される、請求項３０に記載の方法。
[請求項３２]  作用物質または結合パートナーの少なくとも一つが、自己組織化単分子層により、それぞれ非コロイド構造または粒子への結合に適合した、請求項９に記載の方法。
[請求項３３]  作用物質または結合パートナーの少なくとも一つが、相補的核酸配列対により、それぞれビーズまたは粒子への結合に適合した、請求項９に記載の方法。
[請求項３４]  結合パートナーがグルタチオン／グルタチオン−ｓ−トランスフェラーゼリガンド相互作用により、粒子への結合に適合した、請求項９に記載の方法。
[請求項３５]  ポリマービーズを包含する少なくとも第１および第２の非コロイド構造ならびに、その第１および第２のビーズにそれぞれ結合した少なくとも第１および第２の作用物質を用意すること；
コロイド粒子に固定化された第１および／または第２の作用物質の推定結合パートナーをそれぞれが持つ複数のコロイド粒子を用意すること；
ビーズを粒子に暴露すること；そして
第１のビーズに対する第２のビーズへの粒子の結合を区別することを包含する、請求項９に記載の方法。
[請求項３６]  第１および第２のポリマービーズに結合した第１および第２の作用物質が結合パートナーと生物学的または化学的相互作用をすると推測され、そして区別する工程が第１の作用物質と結合パートナーに対して第２の作用物質および結合パートナー間の生物学的相互作用を区別することを包含する、請求項３５に記載の方法。
[請求項３７]  以下のことを包含する請求項９に記載の方法：
それぞれが固定化された作用物質を持つ複数の、ビーズを包含する、非コロイド構造を用意すること；
コロイド粒子の第１のセットおよび第２のセットを用意することであって、第１のセットがそれに固定された作用物質の第１の推定結合パートナーをそれぞれ持ち、そして第２のセットがそれに固定された作用物質の第２の推定結合パートナーをそれぞれ持つこと；
少なくとも第１のビーズを粒子の第１のセットに、そして少なくとも第２のビーズを粒子の第２のセットに暴露すること；
第１のビーズへの第１の粒子のセットの結合に対して、ビーズへの第２の粒子のセットの結合を区別すること。
[請求項３８]  第１および第２の推定結合パートナーは作用物質と生物学的または化学的相互作用をすると推測され、そして区別する工程が作用物質と第１の推測結合パートナー間に対して、作用物質と第２の推定結合パートナー間の生物学的相互作用を識別することを包含する、請求項３７に記載の方法。
[請求項３９]  非コロイド構造が細胞である、請求項１に記載の方法。
[請求項４０]  粒子への結合に適合した、細胞表面の受容体またはタンパク質に対するリガンドを用意することをさらに含み、与える工程が受容体またはタンパク質と相互作用するリガンドにより粒子を細胞に結合させることを包含する、請求項３９に記載の方法。
[請求項４１]  リガンドが自己組織化単分子層を介して粒子に結合するように適合した、請求項３９に記載の方法。
[請求項４２]  リガンドがペプチド、タンパク質、抗体、酵素、または小分子である、請求項４０に記載の方法。
[請求項４３]  リガンドが親和性タグ／結合パートナー結合により、粒子に結合するように適合した、請求項４０に記載の方法。
[請求項４４]  リガンドが金属結合タグ／金属／キレート結合により、粒子に結合するように適合した、請求項４０に記載の方法。
[請求項４５]  リガンドがポリアミノ酸タグを持ち、そして粒子が金属を配位結合させる固定化キレートを持つ、請求項４２に記載の方法。
[請求項４６]  キレートがニトリロ三酢酸である、請求項４５に記載の方法。
[請求項４７]  粒子がニトリロ三酢酸を含む自己組織化単分子層を持つ、請求項４５に記載の方法。
[請求項４８]  粒子が固定化キレートを含む自己組織化単分子層を持つ、請求項４５に記載の方法。
[請求項４９]  リガンドおよび粒子を細胞に暴露すること、リガンドを粒子に結合させること、および受容体またはタンパク質へのリガンドの結合を測定することを包含する、請求項４０に記載の方法。
[請求項５０]  粒子と相互作用して吸収されるか、または透過する電磁波放射のスペクトルの変化を測定することにより、細胞上の粒子の固定化を測定することを包含する、請求項３９に記載の方法。
[請求項５１]  電子工学的に細胞上の粒子の固定化を測定することを包含する、請求項３９に記載の方法。
[請求項５２]  交流ボルタンメトリーにより、細胞上の粒子の固定化を測定することを包含する、請求項５１に記載の方法。
[請求項５３]  目視検査により、細胞上の粒子の固定化を測定することを包含する、請求項５０に記載の方法。
[請求項５４]  以下のことを包含する請求項３９に記載の方法：
その表面に受容体またはタンパク質を提示する細胞を用意すること；
コロイド粒子を用意すること；および
コロイド粒子を受容体またはタンパク質に結合させること。
[請求項５５]  コロイド粒子が補助的なシグナル伝達実体を包含する、請求項５４に記載の方法。
[請求項５６]  非コロイド構造がその表面に受容体またはタンパク質を露出する細胞であり、粒子への結合に適合した受容体またはタンパク質に対するリガンドを用意すること、およびリガンドと受容体またはタンパク質間の相互作用を妨害するための候補薬物の存在下で細胞にリガンドおよび粒子を暴露すること；ならびに細胞への粒子の結合を測定することをさらに包含する、請求項１に記載の方法。
[請求項５７]  測定工程が、受容体またはタンパク質／標的タンパク質間の相互作用を妨害することにおける候補薬物の有効性を表す、細胞への粒子の結合の阻害を測定することを包含する、請求項５６に記載の方法。
[請求項５８]  少なくとも第１および第２の細胞を異なる位置に提供すること；
第１の細胞を第１の細胞の細胞受容体またはタンパク質に対するリガンドおよびコロイド粒子、粒子への結合に適合したリガンド、ならびにリガンドと受容体またはタンパク質間の相互作用を妨害するための第１の候補薬物に暴露すること；および
第２の細胞にリガンドおよびコロイド、ならびにリガンドと受容体またはタンパク質間の相互作用を妨害するための第２の候補薬物を添加すること；ならびに
第１の細胞に対して第２の細胞への粒子の結合を区別するすること；
を包含する、請求項５６に記載の方法。
[請求項５９]  非コロイド構造がその表面に受容体またはタンパク質を露出する細胞である、請求項１に記載の方法であって、さらに：
少なくとも２つの細胞を異なる位置に提供すること；
細胞受容体またはタンパク質に対する異なる標的タンパク質およびそれぞれの標的タンパク質への結合に適合したコロイド粒子にそれぞれの細胞を暴露すること；および
細胞受容体またはタンパク質への異なる標的タンパク質の結合を表す、細胞への粒子の結合を測定すること、を包含する方法。
[請求項６０]  非コロイド構造が磁気ビーズであり、そしてコロイド粒子が補助的なシグナル伝達実体を包含する、請求項９に記載の方法。
[請求項６１]  シグナル伝達実体がメタロセンである、請求項６０に記載の方法。
[請求項６２]  シグナル伝達実体がフェロセンまたはフェロセン誘導体である、請求項６０に記載の方法。
[請求項６３]  作用物質および結合パートナーの存在下、さらに作用物質および結合パートナーを開裂する能力を有する酵素の存在下で粒子をビーズに暴露することを包含する、請求項６０に記載の方法。
[請求項６４]  はじめに作用物質および結合パートナーを酵素に暴露し、その後粒子およびビーズを作用物質および結合パートナーに暴露することを包含する、請求項６３に記載の方法。
[請求項６５]  作用物質、結合パートナー、および酵素の存在下、さらに酵素活性を調節するための候補薬物の存在下で粒子をビーズに暴露することを包含する、請求項６３に記載の方法。
[請求項６６]  結合パートナーが酵素による開裂が可能なタンパク質またはペプチドを包含する、請求項６５に記載の方法。
[請求項６７]  タンパク質がコロイド粒子への、およびビーズへの結合に適合した、請求項６６に記載の方法。
[請求項６８]  タンパク質が金属結合タグおよびビオチンを含み、コロイドまたはビーズの一つが金属を配位結合するキレートを含み、および他のコロイドまたはビーズがストレプトアビジンを包含する、請求項６７に記載の方法。
[請求項６９]  タンパク質が金属結合タグおよびビオチンを含み、コロイドが金属を配位結合させるキレートを含み、そしてビーズがストレプトアビジンを含む、請求項６７に記載の方法。
[請求項７０]  シグナル伝達実体がメタロセンであり、結合パートナーが酵素による開裂が可能なタンパク質を含む請求項６０に記載の方法であって、作用物質、結合パートナー、および酵素の存在下、さらに酵素活性の調節のための候補薬物の存在下で粒子をビーズに暴露すること、ビーズを電極の近くに磁気的に引き寄せること、および電極を活性化することにより電極へのメタロセンの接近度を測定し、それによって酵素の開裂活性を阻害する薬物候補の有効性を測定することを包含する前記方法。
[請求項７１]  実体を開裂する能力を有する酵素、および酵素活性を調節するための候補薬物の両方の存在下で、コロイド粒子および非コロイド構造の両方への結合に適合した実体にコロイド粒子および非コロイド構造を暴露することを包含する、請求項１に記載の方法。
[請求項７２]  非コロイド構造が磁気ビーズであり、コロイド粒子が固定化された電気活性種を持つ、請求項７１に記載の方法であって、ビーズを電極の近くに磁気的に引き寄せること、および電極を活性化することにより電極への電気活性種の接近度を測定し、それによって酵素の開裂活性を阻害する薬物候補の有効性を測定することを包含する、前記方法。
[請求項７３]  非コロイド構造が電極の表面であり、コロイド粒子が固定化された電気活性種を持つ、請求項７１に記載の方法であって、電極をコロイド粒子、コロイド粒子および電極の両方への結合に適合した実体、酵素、および候補薬物に暴露すること、および電極を活性化することにより電極への電気活性種の接近度を測定し、それによって酵素の開裂活性を阻害する薬物候補の有効性を測定することを包含する前記方法。
[請求項７４]  コロイド粒子および非コロイド構造を、非コロイド構造への結合に適合した酵素の基質、粒子への結合に適合した、酵素活性により基質に結合可能な分子種、および基質に対する酵素に暴露することを包含する、請求項１に記載の方法。
[請求項７５]  酵素活性を調節するための候補薬物にコロイド粒子および非コロイド構造を暴露することをさらに包含する、請求項７４に記載の方法。
[請求項７６]  非コロイド構造が磁気ビーズであり、コロイド粒子が固定化された電気活性実体を持つ、請求項７４に記載の方法であって、ビーズを電極の近くに磁気的に引き寄せること、および電極を活性化することにより電極への電気活性実体の接近度を測定し、それによって酵素の活性を調節する薬物候補の有効性を測定することを包含する前記方法。
[請求項７７]  非コロイド構造が電極の表面であり、コロイド粒子が固定化された電気活性実体を持つ、請求項７４に記載の方法であって、電極表面をコロイド粒子、基質、酵素、および候補薬物に暴露すること、および電極を活性化することにより電極への電気活性実体の接近度を測定し、それによって酵素の活性を調節する薬物候補の有効性を測定することを包含する前記方法。
[請求項７８]  非コロイド構造が磁気ビーズである、請求項７４に記載の方法。
[請求項７９]  コロイド粒子が補助的なシグナル伝達実体を包含する、請求項７８に記載の方法。
[請求項８０]  シグナル伝達実体がメタロセンである、請求項７８に記載の方法。
[請求項８１]  シグナル伝達実体がフェロセンまたはフェロセン誘導体である、請求項７８に記載の方法。
[請求項８２]  基質および結合パートナーの存在下、さらに酵素活性を調節するための候補薬物の存在下で粒子をビーズに暴露することを包含する、請求項７８に記載の方法。
[請求項８３]  結合パートナーが金属結合タグ／金属／キレート結合により粒子に結合するように適合し、そして基質がビオチン／ストレプトアバジン結合によりビーズに結合するように適合した、請求項８２に記載の方法。
[請求項８４]  シグナル伝達実体がメタロセンである請求項８２に記載の方法であって、ビーズを電極の近くに磁気的に引き寄せること、および電極を活性化することにより電極へのメタロセンの接近度を測定し、それによって酵素活性を調節する薬物候補の有効性を測定することを包含する前記方法。
[請求項８５]  複数のシグナル伝達実体により、第１の生物学的または化学的作用物質の単一の結合を第２の生物学的または化学的作用物質にシグナル伝達することを包含する方法。
[請求項８６]  単一の結合を複数のシグナル伝達実体により同時にシグナル伝達することを包含する、請求項８５に記載の方法。
[請求項８７]  複数のシグナル伝達実体を持つ第１の作用物質を提供すること、第１の作用物質を第２の作用物質に結合させること、およびシグナル伝達実体により結合を測定することを包含する、請求項８５に記載の方法。
[請求項８８]  シグナル伝達実体が固定化された粒子に第１の作用物質が結合する、請求項８７に記載の方法。
[請求項８９]  ポリマーにより第１の作用物質がシグナル伝達実体に結合する、請求項８７に記載の方法。
[請求項９０]  第１の作用物質がデンドリマーによりシグナル伝達実体に結合する、請求項８７に記載の方法。
[請求項９１]  第１の作用物質が生物学的または化学的リガンドであり、そして第２の作用物質がその表面に受容体またはタンパク質を提示する細胞である、請求項８７に記載の方法であって、リガンドが受容体またはタンパク質に結合させることを包含する前記方法。
[請求項９２]  複数のシグナル伝達実体が第１の作用物質に結合したポリマーに結合した複数のシグナル伝達実体を包含する、請求項８７に記載の方法。
[請求項９３]  複数のシグナル伝達実体が第１の作用物質に結合したデンドリマーに結合した複数のシグナル伝達実体を包含する、請求項８７に記載の方法。
[請求項９４]  複数の固定化されたシグナル伝達実体を含むコロイド粒子に第１の作用物質を固定した、請求項８７に記載の方法。
[請求項９５]  複数のシグナル伝達実体が複数の電気活性分子を包含する、請求項８５に記載の方法。
[請求項９６]  複数の電気活性分子が複数のメタロセンを包含する、請求項９５に記載の方法。
[請求項９７]  複数の電気活性分子が複数のフェロセンまたはフェロセン誘導体を包含する、請求項９５に記載の方法。
[請求項９８]  ポリマーが親和性タグ／結合パートナー結合により第１の作用物質に結合した、請求項９２に記載の方法。
[請求項９９]  ポリマーが結合タグ／金属／キレート結合により第１の作用物質に結合する、請求項９２に記載の方法。
[請求項１００]  第１の作用物質がポリアミノ酸タグを有し、そしてポリマーが金属を配位結合させるキレートを持つ、請求項９９に記載の方法。
[請求項１０１]  デンドリマーが結合タグ／金属／キレート結合により第１の作用物質に結合する、請求項９２に記載の方法。
[請求項１０２]  第１の作用物質がポリアミノ酸タグを持ち、そしてデンドリマーが金属を配位結合させるキレートを持つ、請求項１０１に記載の方法。
[請求項１０３]  少なくとも補助的なシグナル伝達実体の一つが、染料、色素、電気活性分子、蛍光部分、アップレギュレートしている蛍光体、またはホースラディッシュペルオキシダーゼおよびアルカリホスファターゼを含む酵素結合シグナル伝達部分を包含する請求項８５に記載の方法。
[請求項１０４]  タンパク質またはリガンドのいずれも標識せずにＳＰＲの非存在下でタンパク質／リガンド相互作用を測定することを包含する方法。
[請求項１０５]  リガンドと相互作用すると推測されるタンパク質にリガンド、すなわちタンパク質への接近度に依存した電気活性シグナルを有する、電気活性実体と一定の近接関係にあるリガンド、を暴露することを包含する、請求項１０４に記載の方法。
[請求項１０６]  電気活性実体が、電気活性実体とタンパク質間の接近度の変化に依存して変わることができる電気活性シグナルを有する、請求項１０４に記載の方法。
[請求項１０７]  リガンドと電気活性実体がともに固定化される表面にタンパク質を暴露することを包含する、請求項１０４に記載の方法。
[請求項１０８]  表面が電極の表面である、請求項１０７に記載の方法。
[請求項１０９]  リガンドおよび電気活性実体がそれぞれ表面の自己組織化単分子層の部分を形成する、請求項１０７に記載の方法。
[請求項１１０]  自己組織化単分子層が、電子に対する自己組織化単分子層の透過性を促進する種を含む、請求項１０９に記載の方法。
[請求項１１１]  電子に対する透過性を促進する種が伝導性自己組織化単分子層形成種を包含する、請求項１１０に記載の方法。
[請求項１１２]  電子に対する透過性を促進する種が自己組織化単分子層に欠陥部位を生じさせる種を包含する、請求項１１０に記載の方法。
[請求項１１３]  電気活性実体がメタロセンを包含する、請求項１０４に記載の方法。
[請求項１１４]  電気活性実体がフェロセンまたはフェロセン誘導体を包含する、請求項１０４に記載の方法。
[請求項１１５]  電気活性実体がフェロセンジカルボン酸を包含する、請求項１０４に記載の方法。
[請求項１１６]  リガンドが親和性タグ／結合パートナー結合により自己組織化単分子層形成種に結合する、請求項１０９に記載の方法。
[請求項１１７]  リガンドが金属結合タグ／金属／キレート結合により自己組織化単分子層形成種に結合する、請求項１０９に記載の方法。
[請求項１１８]  以下のことを包含する方法：
ａ）ｉ）コロイド（前記コロイドは細胞表面分子と相互作用することができるリガンドを包含する）を包含する溶液、およびｉｉ）成長細胞を包含する電極を包含する組成物（前記細胞は前記リガンドと相互作用することができる少なくとも１つの細胞表面分子を包含する）を提供すること、
ｂ）少なくとも前記コロイドの部分を前記組成物に添加すること。
[請求項１１９]  さらに以下のことを包含する請求項１１８に記載の方法：
ｃ）前記リガンドと前記細胞表面分子の相互作用の尺度として前記コロイドの凝集を検出すること。
[請求項１２０]  前記コロイドが金コロイドである、請求項１１８に記載の方法。
[請求項１２１]  工程（ａ）の前に、前記金コロイドがチオール基を取り込むように処理される、請求項１２０に記載の方法。
[請求項１２２]  工程（ａ）の前に、前記リガンドが結合パートナーを有する部分により誘導体化される、請求項１１８に記載の方法。
[請求項１２３]  工程（ａ）の前に、前記リガンドが金属キレートに結合することができる部分により誘導体化される、請求項１２２に記載の方法。
[請求項１２４]  前記部分がヒスチジンタグを包含する、請求項１２３に記載の方法。
[請求項１２５]  以下のことを包含する方法：
ａ）ｉ）コロイド（前記コロイドは細胞表面分子と相互作用することができるリガンドを含む）を包含する溶液、ｉｉ）候補薬物、およびｉｉｉ）成長細胞を包含する電極を包含する組成物（前記細胞は前記リガンドと相互作用することができる少なくとも１つの細胞表面分子を包含する）を提供すること、
ｂ）少なくとも前記コロイドの部分を前記薬物および前記組成物と混合すること。
[請求項１２６]  磁気材料を使用して電子工学的シグナル伝達実体を電極に補充することを包含する方法。
[請求項１２７]  シグナル伝達実体と磁気ビーズ間の固定化に関与するタンパク質／タンパク質結合により部分的に電極にシグナル伝達実体を補充することを包含する、請求項１２６に記載の方法。
[請求項１２８]  タンパク質／タンパク質結合が抗体ではないタンパク質を伴う、請求項１２７に記載の方法。
[請求項１２９]  表面、および表面に関してそれぞれ固定化されたタンパク質および電気活性実体と相互作用すると推測されるリガンドを有するアーティクル。
[請求項１３０]  表面に関して固定化された電子の表面の透過性を促進する種をさらに包含する、請求項１２９に記載のアーティクル。
[請求項１３１]  第２の作用物質への生物学的または化学的結合が可能な、複数のシグナル伝達実体に関して固定化された第１の生物学的または化学的作用物質を包含するアーティクル。
[請求項１３２]  シグナル伝達実体が固定化される粒子に第１の作用物質が結合する、請求項１３１に記載のアーティクル。
[請求項１３３]  第１の作用物質がポリマーによりシグナル伝達実体に関して固定化される、請求項１３１に記載のアーティクル。
[請求項１３４]  第１の作用物質がデンドリマーによりシグナル伝達実体に関して固定化される、請求項１３１に記載のアーティクル。
[請求項１３５]  表面、およびアーティクルの表面に形成された自己組織化単分子層を有するアーティクルであって、単分子層は第１分子種（表面が暴露される流体と表面との電気的連絡を妨げるように、堅く詰まった様式で他の第１分子種とともに表面での自己組織化を促進する分子構造を有する）と第２分子種（第１の種と異なる分子構造を有し、堅く詰まった自己組織化構造の破壊を引き起こして、堅く詰まった構造中に欠陥を生じ、表面が曝露される流体と表面の電気的連絡を可能にする）の混合物を包含する、上記アーティクル。
[請求項１３６]  第１の種が本質的に直線状であり、第２の種が少なくとも１つの非直線部分を包含する、請求項３５に記載のアーティクル。
[請求項１３７]  第１分子が細胞表面受容体またはタンパク質と相互作用することができるリガンドである、前記第１分子および固体支持体に結合した１つまたはそれより多くのシグナル伝達実体を包含する組成物。
[請求項１３８]  前記固体支持体がコロイドである、請求項１３７に記載の組成物。
[請求項１３９]  前記コロイドが金コロイドである、請求項１３８に記載の組成物。
[請求項１４０]  前記リガンドが直接前記コロイドに共有結合する、請求項１３８に記載の組成物。
[請求項１４１]  前記シグナル伝達実体が電気活性分子である、請求項１３８に記載の組成物。
[請求項１４２]  前記電気活性分子がフェロセンまたはフェロセン誘導体を包含する、請求項１４１に記載の組成物。
[請求項１４３]  前記リガンドがペプチドである、請求項１３７に記載の組成物。
[請求項１４４]  前記ペプチドが金属キレートに結合することができる部分とともに誘導体化される、請求項１４３に記載の組成物。
[請求項１４５]  前記部分がヒスチジンタグを包含する、請求項１４４に記載の組成物。
[請求項１４６]  前記固体支持体が金属キレートを含み、そして前記ペプチドが前記金属キレートへの前記部分の結合により前記固体支持体に結合する、請求項１４４に記載の組成物。
[請求項１４７]  固体支持体が第２分子の単分子層を包含する、請求項１３７に記載の組成物。
[請求項１４８]  前記単分子層が自己組織化単分子層である、請求項１４７に記載の組成物。
[請求項１４９]  前記第２分子がチオールである、請求項１４７に記載の組成物。
[請求項１５０]  固体支持体に結合した第１分子、第２分子および第３分子を包含する組成物：ここで前記第１分子は細胞表面受容体またはタンパク質と相互作用可能なリガンドを含み、ここで第２分子は前記固体支持体上で単分子層を形成し、そしてここで前記第３分子は電気活性である。
[請求項１５１]  前記固体支持体がコロイドである、請求項１５０に記載の組成物。
[請求項１５２]  前記コロイドが金コロイドである、請求項１５１に記載の組成物。
[請求項１５３]  前記リガンドが前記コロイドに直接共有結合する、請求項１５１に記載の組成物。
[請求項１５４]  前記電気活性分子がフェロセンまたはフェロセン誘導体を包含する、請求項１５３に記載の組成物。
[請求項１５５]  前記リガンドがペプチドである、請求項１５３に記載の組成物。
[請求項１５６]  前記ペプチドが金属キレートに結合可能な部分とともに誘導体化される、請求項１５５に記載の組成物。
[請求項１５７]  前記部分がヒスチジンタグを包含する、請求項１５６に記載の組成物。
[請求項１５８]  前記固体支持体が金属キレートを含み、そして前記ペプチドが前記金属キレートへの前記部分の結合により前記固体支持体に結合する、請求項１５６に記載の組成物。
[請求項１５９]  前記固体支持体がリポソームである、請求項１３７に記載の組成物。
[請求項１６０]  前記リポソームが反応基を含有する少なくとも１つの脂質を包含する、請求項１４７に記載の組成物。
[請求項１６１]  表面上で細胞の成長を支持するように構築され、配列された金属支持体を包含するアーティクル：前記金属支持体は少なくとも１つのタイプの分子の単分子層を含み、前記単分子層は金属支持体を電極として使用できるように設計される。
[請求項１６２]  金属支持体上で増殖する細胞をさらに包含する、請求項１６１に記載のアーティクル。
[請求項１６３]  以下のものを包含する組成物：
コロイド粒子
コロイド粒子に関して固定化されたシグナル伝達実体；および
コロイド粒子に関して固定化されたタンパク質。
[請求項１６４]  以下のものを包含する組成物：
生物学的または化学的作用物質に結合するように適合した複数のシグナル伝達実体を持つポリマーまたはデンドリマー。
[請求項１６５]  ポリマーまたはデンドリマーが金属結合タグ／金属／キレート結合により化学的または生物学的作用物質に結合するように適合した、請求項１６４に記載の種。
[請求項１６６]  ポリマーまたはデンドリマーが金属を配位結合させることができるキレートを持つ、請求項１６４に記載の種。
[請求項１６７]  ポリマーまたはデンドリマーが複数の電気活性種を持つ、請求項１６４に記載の種。
[請求項１６８]  ポリマーまたはデンドリマーが複数のメタロセンを持つ、請求項１６４に記載の種。
[請求項１６９]  ポリマーまたはデンドリマーが複数のフェロセンまたはフェロセン誘導体を持つ、請求項１６４に記載の種。
[請求項１７０]  グルタチオン誘導体に関して固定化されたコロイド粒子および少なくとも１つのシグナル伝達実体を包含するアーティクル。
[請求項１７１]  グルタチオン誘導体を包含する自己組織化単分子層を表面上に持つコロイド粒子を包含するアーティクル。
[請求項１７２]  非コロイド構造が生物学的試料である、請求項１に記載の方法。
[請求項１７３]  生物学的試料がヒトまたは動物から採取される、請求項１７２に記載の方法。
[請求項１７４]  生物学的試料が細胞または組織切片を包含する、請求項１７３に記載の方法。
[請求項１７５]  少なくとも第１および第２生物学的試料を用意すること；
試料により提示される結合パートナーに結合する能力が推測されるまたはそれを有する固定化された種を持つコロイド粒子に、第１および第２試料を暴露すること、
を包含する請求項１７２に記載の方法。
[請求項１７６]  第１および第２生物学的試料が感染または疾病の異なる状態の試料である、請求項１７５に記載の方法。
[請求項１７７]  異なる試料に対する結合と第１試料へのコロイド粒子の結合の違いを測定することを包含する、請求項１７５に記載の方法。
[請求項１７８]  違いが結合レベルの違いを包含する、請求項１７７に記載の方法。
[請求項１７９]  違いがコロイド固定化パターンの違いである、請求項１７７に記載の方法。
[請求項１８０]  試料のいずれかまたは両方へのコロイド粒子の固定化を測定することをさらに包含する請求項１７５に記載の方法。
[請求項１８１]  試料により発現された、結合パートナーの発現レベルおよび／またはパターンにより測定できる疾患状態の修飾のための候補薬物で生物学的試料またはその供与源が前処理されている、請求項１７５に記載の方法。
[請求項１８２]  非コロイド構造が表面を有するアーティクル、およびアーティクルの表面で形成される自己組織化単分子層を包含し、単分子層は第１分子種（表面が暴露されている流体と表面との電気的連絡を妨げ、堅く詰まった様式で他の第１分子種とともに表面での自己組織化を促進する、分子構造を有する）と第２分子種（分子ワイヤを包含する）の混合物を包含する、請求項１に記載の方法。
[請求項１８３]  非コロイド構造が固体支持体である、請求項１に記載の方法。
[請求項１８４]  表面が電極の表面である、請求項１８３に記載の方法。
[請求項１８５]  コロイド粒子の表面での自己組織化単分子層の部分をそれぞれ形成するリガンドおよび電気活性実体をさらに包含する、請求項１８３に記載の方法。
[請求項１８６]  自己組織化単分子層が電子の自己組織化単分子層の透過性を促進する種を含む、請求項１８５に記載の方法。
[請求項１８７]  電子の透過性を促進する種が伝導性自己組織化単分子層形成種を包含する、請求項１８６に記載の方法。
[請求項１８８]  電子の透過性を促進する種が自己組織化単分子層中に欠陥部位を生じる種を包含する、請求項１８６に記載の方法。
[請求項１８９]  電気活性実体がフェロセンジカルボン酸を包含する、請求項１０４に記載の方法。
[請求項１９０]  金属結合タグ／金属／キレート結合により、リガンドが自己組織化単分子層形成種に結合する、請求項１８５に記載の方法。
[請求項１９１]  固体支持体が実質的に平面の基質を包含する、請求項１８３に記載の方法。
[請求項１９２]  アーティクルの表面が自己組織化単分子層を持つ、請求項１８３に記載の方法。
[請求項１９３]  自己組織化単分子層が伝導性自己組織化単分子層である、請求項１９２に記載の方法。
[請求項１９４]  自己組織化単分子層が親和性タグの結合パートナーを包含する、請求項１９２に記載の方法。
[請求項１９５]  結合パートナーが金属を配位結合させることができるキレートである、請求項１９４に記載の方法。
[請求項１９６]  親和性タグの結合パートナーがグルタチオンまたはビオチンを包含する、請求項１９４に記載の方法。
[請求項１９７]  ＥＤＣ／ＮＨＳカップリング化学により自己組織化単分子層に固定される化学的または生物学的作用物質をさらに包含する、請求項１９３に記載の方法。
[請求項１９８]  自己組織化単分子層に固定され、そして自己組織化単分子層を横切って任意に分配される複数の化学的または生物学的結合パートナーを包含する、請求項１９３に記載の方法。
[請求項１９９]  自己組織化単分子層が、それに固定された唯一の化学的または生物学的結合パートナーをそれぞれさらに包含する隔離された領域を含む、請求項１９３に記載の方法。
[請求項２００]  コロイド構造が結合パートナーであるか、または、アーティクルの表面に固定される化学的または生物学的作用物質の結合パートナーであると推測される、それに固定された化学的または生物学的作用物質を含む、請求項１８２に記載の方法。
[請求項２０１]  コロイド粒子が補助的なシグナル伝達実体を包含する、請求項２００に記載の方法。
[請求項２０２]  コロイド粒子の表面に自己組織化単分子層をさらに包含する、請求項２００に記載の方法。
[請求項２０３]  補助的なシグナル伝達実体が電気活性シグナル伝達実体である、請求項２０１に記載の方法。
[請求項２０４]  補助的なシグナル伝達実体が可視シグナル伝達実体である、請求項２０１に記載の方法。